(57)【要約】      （修正有）【課題】通常のリールタイプのドラムと比較して直径を約２分の１に抑えることが可能で、ガイド部と反転ガイド溝とで構造が簡単で、容易にリーフを反転させることができる反転表示器を得る。【解決手段】ほぼ長方形状のベース板２に形成されたリング状の凹部外壁３で形成されたガイド部４と、このリング状の凹部外壁より突出するようにベース板に形成された凹部壁状の反転ガイド溝と、ベース板に回転可能に取付けられた等間隔の複数個のリーフ取付片６を有する回転体８と、この回転体のリーフ取付片にほぼ中央部が枢支され、両端部寄りの部位に前記ガイド部と反転ガイド溝によってガイドされるガイド片を有する複数個のリーフ１１と、複数個のリーフのそれぞれの他端部のほぼ中央部と外周部寄りの部位で枢支された歯車１６と、この歯車と噛み合う歯車１８が駆動軸１９に取付けられた、ベース板に取付けられたモータ２１とで反転表示器１を構成している。【選択図】  図３
2008245740.tif 000002
【特許請求の範囲】
【請求項１】
ほぼ長方形状のベース板と、このベース板に形成されたリング状の凹部外壁で形成されたガイド部と、このリング状の凹部外壁よりほぼ長方形のベース板内で突出するように前記ベース板に形成された凹部壁状の反転ガイド溝と、前記ガイド部内を回転するように前記ベース板に回転可能に取付けられた等間隔の複数個のリーフ取付片を有する回転体と、この回転体のリーフ取付片にほぼ中央部が枢支され、両端部寄りの部位に前記ガイド部と反転ガイド溝によってガイドされるガイド片を有する複数個のリーフと、前記回転体と回転不能に取付けられた前記複数個のリーフのそれぞれの他端部のほぼ中央部と外周部寄りの部位で枢支された歯車と、この歯車と噛み合う歯車が駆動軸に取付けられた、前記ベース板に取付けられたモータとからなることを特徴とする反転表示器。
【請求項２】
リーフが表示窓中心に停止したときに、反転中のリーフが反転ガイド溝の先端部に位置するように反転ガイド溝を形成したさことを特徴とする請求項１記載の反転表示器。
【請求項３】
複数個のリーフは表面と裏面に表示面が形成され、かつ透明あるいは光が透過する材質で形成され、表示部に位置するリーフを発光素子で照明することができる照明装置がベース板に設けられていることを特徴とする請求項１、２いずれかに記載の反転表示器。
【発明の詳細な説明】
【技術分野】
【０００１】
本発明は複数個のリーフを用いた反転表示器に関する。
【背景技術】
【０００２】
従来のリールタイプの表示器ではリール外周しか表示することができず、表示図柄数を多くする場合はリール外径を大きくするしかなく、リールの外径サイズで表示できる図柄が決まってしまうという欠点があった。
【特許文献１】特になし
【発明の開示】
【発明が解決しようとする課題】
【０００３】
本発明は以上のような従来の欠点に鑑み、複数個のリーフを反転できるようにして、表面と裏面とを表示面にして、通常のリールタイプのドラムと比較して直径を約２分の１に抑えることが可能な省スペースの実現ができ、ガイド部と反転ガイド溝とで構造が簡単で、容易にリーフを反転させることができる反転表示器を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明はほぼ長方形状のベース板と、このベース板に形成されたリング状の凹部外壁で形成されたガイド部と、このリング状の凹部外壁よりほぼ長方形のベース板内で突出するように前記ベース板に形成された凹部壁状の反転ガイド溝と、前記ガイド部内を回転するように前記ベース板に回転可能に取付けられた等間隔の複数個のリーフ取付片を有する回転体と、この回転体のリーフ取付片にほぼ中央部が枢支され、両端部寄りの部位に前記ガイド部と反転ガイド溝によってガイドされるガイド片を有する複数個のリーフと、前記回転体と回転不能に取付けられた前記複数個のリーフのそれぞれの他端部のほぼ中央部と外周部寄りの部位で枢支された歯車と、この歯車と噛み合う歯車が駆動軸に取付けられた、前記ベース板に取付けられたモータとで反転表示器を構成している。
【発明の効果】
【０００６】
以上の説明から明らかなように、本発明にあっては次に列挙する効果が得られる。
【０００７】
（１）ほぼ長方形状のベース板と、このベース板に形成されたリング状の凹部外壁で形成されたガイド部と、このリング状の凹部外壁よりほぼ長方形のベース板内で突出するように前記ベース板に形成された凹部壁状の反転ガイド溝と、前記ガイド部内を回転するように前記ベース板に回転可能に取付けられた等間隔の複数個のリーフ取付片を有する回転体と、この回転体のリーフ取付片にほぼ中央部が枢支され、両端部寄りの部位に前記ガイド部と反転ガイド溝によってガイドされるガイド片を有する複数個のリーフと、前記回転体と回転不能に取付けられた前記複数個のリーフのそれぞれの他端部のほぼ中央部と外周部寄りの部位で枢支された歯車と、この歯車と噛み合う歯車が駆動軸に取付けられた、前記ベース板に取付けられたモータとで構成されているので、複数個のリーフを反転ガイド溝部で反転させることができる。
したがって、複数個のリーフの表面と裏面とを表示面として使用することができ、従来のリールタイプのドラムと比較して直径を約２分の１に抑えることができ、省スペースの実現ができる。
【０００８】
（２）前記（１）によって、ガイド部と反転ガイド溝によってガイドされるリールのガイド片によって反転するため、構造が簡単で、低コスト化を図ることができる。
【０００９】
（３）前記（１）によって、リーフの反転する動きを表示範囲に取り入れることにより、従来にない特徴的な表示効果が得られる。
【００１０】
（４）請求項2も前記（１）〜（３）と同様な効果が得られるとともに、さらに小型コンパクト化を図ることができる。
【００１１】
（５）請求項３も前記（１）〜（３）と同様な効果が得られるとともに、照明装置で表示部に位置するリーフを照明することができる。
したがって、効率のよい照明ができる。
【発明を実施するための最良の形態】
【００１２】
以下、図面に示す本発明を実施するための最良の形態により、本発明を詳細に説明する。
【００１３】
図１ないし図９に示す本発明を実施するための最良の第１の形態において、１は本発明の反転表示器で、この反転表示器１はほぼ長方形状のベース板２と、このベース板２の一端部寄りの部位に形成されたリング状の凹部外壁３で形成されたガイド部４と、このリング状の凹部外壁３よりほぼ半楕円形状に突出するように前記ベース板２より突出しない部位のベース板２に形成された反転ガイド溝５と、前記ガイド部４内を回転するように前記ベース板２の該ガイド部４の中央部に回転可能に取付けられた等間隔の複数個、本発明を実施する形態では５個のリーフ取付片６、６、６、６、６が軸７の外周部に有する回転体８と、この回転体８のリーフ取付片６、６、６、６、６に一方のほぼ中央部が枢支ピン９、９、９、９、９で枢支され、両端部寄りの部位に前記ガイド部４と反転ガイド溝５によってガイドされるガイド片１０、１０を有する両面が弧状のリーフ１１、１１、１１、１１、１１と、前記回転体８の軸７の先端部の係合部１２と係合する係合部１３を有する軸１４で回転可能に取付けられた前記リーフ１１、１１、１１、１１、１１のそれぞれの他方のほぼ中央部と外周部寄りの部位で枢支ピン１５、１５、１５、１５、１５で枢支された歯車１６と、この歯車１６、軸１４、軸７およびベース板２が離れないように取付けるシャフト１７と、前記歯車１６と噛み合う歯車１８が駆動軸１９に取付けられた、前記ベース板２に台座２０を介して取付けられたモータ２１と、前記ベース板２に取付けられた基板２２と、前記表示部に位置するリーフ１１を前記ベース板２の透孔２３、２３を介して照明する、前記基板２２に取付けられたLED等の発光素子２４、２４を用いた照明装置２５とで構成されている。
【００１４】
前記ベース板２はガイド部４が形成された長方形状のベース板本体２６と、このベース板本体２６のガイド部４の中央部に形成された軸受２７と、前記ベース板本体２６の先端部および両側部に形成された側壁２８、２８、２８と、前記ベース板本体２６の先端部寄りのガイド部４内に形成された透孔２３、２３と、前記ベース板本体２６のガイド部４の外側に形成された台座２０と、前記ベース板本体２６のガイド部４のリング状の凹部壁３よりほぼ半楕円形状に突出する、該ベース板本体２６に形成された反転ガイド溝５とから構成されている。
【００１５】
前記回転体８は前記軸受２７に回転可能に取付けられる筒状で先端部に係合部１２が形成された軸７と、この軸７の反係合部側の外周部に等間隔に一体形成されたリーフ取付片６、６、６、６、６と、このリーフ取付片６、６、６、６、６の先端部に形成された前記リーフ１１、１１、１１、１１、１１の枢支ピン９、９、９、９、９を枢支する枢支ピン挿入孔３３、３３、３３、３３、３３とで構成されている。
【００１６】
前記リーフ１１、１１、１１、１１、１１は透明あるいは光が透過する材質で、表示シート２９、２９が貼られる円弧状の表面３０と裏面３１とが両端部で当接された筒状で、上下板３２、３２、３２、３２が重なって閉塞され、該上下板３２、３２、３２、３２の内側に位置する上下板３２、３２の中央部には外側に位置する上下板３２、３２の中央部の枢支ピン挿入孔３３、３３に挿入される枢支ピン９、１５が形成され、一方の外側下板３２の両端部寄りの部位にはガイド片１０、１０が形成されている。
【００１７】
前記歯車１６は歯車本体３４と、この歯車本体３４の中央部に一体形成された先端部に前記軸７の係合部１２と係合する係合部１３を有する筒状の軸１４と、前記歯車本体３４の外周部寄りの部位に形成された前記リーフ１１、１１、１１、１１、１１の枢支ピン１５、１５、１５，１５、１５が挿入される枢支ピン挿入孔３５、３５、３５、３５、３５とで構成されている。
【００１８】
上記構成の反転表示器１はモータ２１を駆動させると駆動軸１９が回転し、該駆動軸１９に固定された歯車１８が回転し、該歯車１８と噛み合っている歯車１６が回転する。
この歯車１６の回転によって、５個のリーフ１１、１１、１１、１１、１１はリング状の凹部壁３で形成されたガイド部４にガイド片１０、１０が接して回転するとともに、反転ガイド溝５部でリーフ１１の先端部に位置するガイド片１０が入り込み、後端部に位置するガイド片１０が反転ガイド溝５に入り込むことなく、図９に示すようにガイド部４内を通過して先端部のガイド片１０と後端部のガイド片１０とが入れ替わる。すなわち、リーフ１１の表面３０が裏面３１となり、裏面が表面に位置する。
照明装置２５の発光素子２４、２４により、表示部に位置するリーフ１１はベース板２の透孔２３、２３を通過して照明される。  
なお、本発明を実施する形態では５個のリーフ１１、１１、１１、１１、１１の表面３０と裏面３１との１０面を用いて表示を行なうことができる。
[発明を実施するための異なる形態]
【００１９】
次に、図１０ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１２に示す本発明を実施するための第２の形態において、前記本発明を実施するための最良の第１の形態と主に異なる点は、表面３０と裏面3１とを筒状に一体形成し、上下端部を中央部に枢支ピン挿入孔３６、３６を有する上下板３２Ａ３２Ａで閉塞してリーフ１１Ａ、１１Ａ、１１Ａ、１１Ａ、１１Ａを形成するとともに、回転体８Ａのリーフ取付片６Ａ、６Ａ、６Ａ、６Ａ、６Ａの先端部および歯車１６Ａに前記枢支ピン挿入孔３６、３６に挿入される枢支ピン３７を５個づつ設けた点で、このように構成した反転表示器１Ａにしても、前記本発明を実施するための最良の第１の形態と同様な作用効果が得られる。
【００２１】
図１３ないし図１５に示す本発明を実施するための第３の形態において、前記本発明を実施するための最良の第１の形態と主に異なる点は、ベース板２の透孔２３、２３と対応する部位に５対の透孔３９、３９を形成した歯車１６Ｂを用いるとともに、ケース体４０に縦・横方向に並列させた９個のベース板２を固定できるようにし、端部の基板２２に設けた発光素子２４、２４で歯車１６Ｂの透孔３９、３９を介して照明できるようにした点で、このように構成した反転表示器１Ｂにしても、前記本発明を実施するための最良の第１の形態と同様な作用効果が得られるとともに、照明装置の発光素子２４、２４を端部以外の横方向に位置する部分を省略して、コストの低減を図ることができる。
なお、ベース板を縦・横方向に接続できるように構成してもよい。
【００２２】
図１６ないし図１８に示す本発明を実施するための第４の形態において、前記本発明を実施するための最良の第１の形態と主に異なる点は、６個のリーフ１１、１１、１１、１１、１１、１１を用いた点で、このように構成した反転表示器１Ｃにしても、前記本発明を実施するための最良の第１の形態と同様な作用効果が得られる。
また、リーフ１１の上下板３２、３２に枢支ピン挿入孔３５、３５を形成し、該枢支ピン挿入孔３５、３５に枢支される枢支ピン９、１５を回転体８の先端部に形成したり、歯車１６に形成しても良い。
【００２３】
図１９に示す本発明を実施するための第５の形態において、前記本発明を実施するための最良の第１の形態と主に異なる点は、長方形状のベース板２に形成されたリング状の凹部外壁３よりほぼ長方形のベース板２内で突出するようにほぼ直線的な山形形状に形成された反転ガイド溝５Ａを形成したものを用いた点で、このような、反転ガイド溝５Ａを形成したベース板２を使用して構成した反転表示器１Ｄにしても、前記本発明を実施するための最良の第１の形態と同様な作用効果が得られる。
【産業上の利用可能性】
【００２４】
本発明は反転表示器を製造する産業で利用される。
【図面の簡単な説明】
【００２５】
【図１】本発明を実施するための最良の第１の形態の斜視図。
【図２】図１の２−２線に沿う断面図。
【図３】本発明を実施するための最良の第１の形態の分解斜視図。
【図４】本発明を実施するための最良の第１の形態のベース板の平面図。
【図５】図４の５−５線に沿う断面図。
【図６】本発明を実施するための最良の第１の形態のリーフの説明図。
【図７】本発明を実施するための最良の第１の形態の回転体の説明図。
【図８】本発明を実施するための最良の第１の形態の歯車の説明図。
【図９】本発明を実施するための最良の第１の形態のリーフの動作説明図。
【図１０】本発明を実施するための第２の形態の斜視図。
【図１１】本発明を実施するための第２の形態のリーフの説明図。
【図１２】本発明を実施するための第２の形態のリーフの取り付け状態の説明図。
【図１３】本発明を実施するための第３の形態の斜視図。
【図１４】本発明を実施するための第３の形態の照明状態の説明図。
【図１５】本発明を実施するための第３の形態の歯車の説明図。
【図１６】本発明を実施するための第４の形態の斜視図。
【図１７】本発明を実施するための第４の形態の分解斜視図。
【図１８】本発明を実施するための第４の形態のリーフの動作説明図。
【図１９】本発明を実施するための第５の形態のベース板の平面図。
【符号の説明】
【００２６】
１Ａ、１Ｂ、１Ｃ、１Ｄ：反転表示器、
２：ベース板            、                                ３：リング状の凹部外壁、
４：ガイド部、                                ５、５Ａ：反転ガイド溝、            
６：リーフ取付片、                                    ７：軸、
８、８Ａ：回転体、                                    ９：枢支ピン、
１０：ガイド片、                            １１：リーフ、
１２：係合部、                                １３：係合部、
１４：軸、                                        １５：枢支ピン、
１６、１６Ａ、１６Ｂ：歯車、    １７：シャフト、
１８：歯車、                                                １９：駆動軸、
２０：台座、                                                ２１：モータ、
２２：基板、                                                ２３：透孔、
２４：発光素子、                            ２５：照明装置、
２６：ベース板本体、                    ２７：軸受、
２８：側壁、                                                ２９：表示シート、
３０：表面、                                                ３１：裏面、
３２：上下板、                                ３３：枢支ピン挿入孔、
３４：歯車本体、                            ３５：枢支ピン挿入孔、
３６：枢支ピン挿入孔、                ３７：枢支ピン、
３８：枢支ピン挿入孔、                ３９：透孔、
４０：ケース体。
【図１】
2008245740.tif 000003
【図２】
2008245740.tif 000004
【図３】
2008245740.tif 000005
【図４】
2008245740.tif 000006
【図５】
2008245740.tif 000007
【図６】
2008245740.tif 000008
【図７】
2008245740.tif 000009
【図８】
2008245740.tif 000010
【図９】
2008245740.tif 000011
【図１０】
2008245740.tif 000012
【図１１】
2008245740.tif 000013
【図１２】
2008245740.tif 000014
【図１３】
2008245740.tif 000015
【図１４】
2008245740.tif 000016
【図１５】
2008245740.tif 000017
【図１６】
2008245740.tif 000018
【図１７】
2008245740.tif 000019
【図１８】
2008245740.tif 000020
【図１９】
2008245740.tif 000021